(57)【要約】【課題】  リモコンの故障等によりリモコンへの電流の増加により配管の凍結防止が正常に動作することができず配管が凍結により破損したり、リモコンが発煙・発火する恐れがあるという課題を有していた。【解決手段】  リモコン２への電流を検出し、ある値以上になればリモコン２への電源を遮断することで配管凍結機能が正常に動作でき、リモコンの発煙・発火の防止ができるようにする。【選択図】図１
2007178074.tif 000002
【特許請求の範囲】
【請求項１】
商用電源を電源とする給湯器と、前記給湯器に接続した有線で電源を供給され、前記給湯器を遠隔操作するリモコンを有する給湯システムにおいて、商用電源を前記給湯器で使用する電圧に変換し供給する電源部と、前記電源部より電源を供給されて配管の凍結防止を行う配管凍結防止部と、前記リモコンに供給する電源の電流を検出するリモコン電流検出部と、前記リモコンに供給する電源を遮断するリモコン電源遮断部を備え、前記リモコン電流検出部で検出した電流値が、ある値以上になると前記リモコン電源遮断部でリモコンに供給する電源を遮断することを特徴とする給湯システム。
【請求項２】
電流検出部とリモコン電源遮断部を、パターンヒューズ部で構成したことを特徴とする請求項１に記載の給湯システム。
【請求項３】
電流検出部とリモコン電源遮断部を、交換が可能な電流ヒューズ素子で構成したことを特徴とする請求項１に記載の給湯システム。
【請求項４】
電流検出部とリモコン電源遮断部を、リセッタブルヒューズ素子で構成したことを特徴とする請求項１に記載の給湯システム。
【請求項５】
電流検出部は、リモコンの電源ラインに直列に抵抗を挿入し、前記抵抗の両端の電位差を検出することで電流値を検出することを特徴とする請求項１に記載の給湯システム。
【請求項６】
電流検出部とリモコン電源遮断部を、過電流保護機能を持った電源ＩＣで構成したことを特徴とする請求項１に記載の給湯システム。
【発明の詳細な説明】
【技術分野】
【０００１】
本発明は給湯器と前記給湯器を遠隔操作するリモコンとが有線で接続され、前記給湯器に配管凍結防止機能を有した給湯システムに関するものである。
【背景技術】
【０００２】
従来、この種の給湯システムは、給湯器と前記給湯器を遠隔操作するリモコンとが有線で接続され、そして前記給湯器に配管凍結防止機能を有しており、前記給湯器内外の温度を検知し、検知した温度がある値以下になると配管の凍結防止のため前記配管凍結防止機能が動作し、配管の凍結防止を行うものであった（例えば、特許文献１参照）。
図７は、特許文献１に記載された従来の給湯システムを示すものである。図７に示すように、給湯器１と、給湯器１と有線で接続されたリモコン２と、給湯器１に設けられた電源部３と配管凍結防止部４で構成されている。
【特許文献１】特開２００１−４２０８号公報
【発明の開示】
【発明が解決しようとする課題】
【０００３】
しかしながら、前記従来の構成では、リモコン２の配線工事時の施工不良によるリモコン配線の短絡やリモコンの故障により、リモコンケーブルやリモコンに流れる電流の増加による給湯器１内部の電源部３が破損し配管の凍結防止部４が正常に動作することができず配管が凍結により破損する課題を有していた。
【０００４】
また、近年ＵＬ規格等でも１５Ｗを超える電力が取り出しうるポイント周囲には非常に高いレベルの難燃グレードが要求されているが、従来の給湯システムではリモコン２の故障時にリモコン２で１５Ｗ以上の電力が消費されることがありうるため、故障時にリモコン２に大電流が流れ込むことにより１５Ｗ以上の電力が消費されることによる発熱でリモコ２が発煙・発火する恐れがあるという課題を有していた。
前記従来の課題に鑑み、本発明が解決しようとする課題は、リモコンの配線工事時の施工不良によるリモコン配線の短絡やリモコンの故障によりリモコンケーブルやリモコンに流れる電流が増加しても、凍結防止機能が正常に動作でき、リモコンでの発煙や発火を予防する給湯システムを提供することにある。
【課題を解決するための手段】
【０００５】
前記課題を解決するために、本発明の給湯システムは、商用電源を電源とする給湯器と前記給湯器に接続した有線で電源を供給され、前記給湯器を遠隔操作するリモコンを有するものにあって、商用電源を前記給湯器で使用する電圧に変換する電源部と、前記電源部より電源を供給されて配管の凍結防止を行う配管凍結防止部と、前記リモコンに流入するリモコン電流を検出するリモコン電流検出部と、前記リモコン電流検出部で検出したリモコン電流が、ある値を超えれば前記リモコンへの電源供給を遮断するリモコン電源遮断部を備えたものである。
【０００６】
これにより、リモコンに故障が生じても配管凍結防止部の機能は損なわれることなく、またリモコンの発熱等も防止するものである。
【発明の効果】
【０００７】
本発明の給湯システムは、リモコンに故障が生じても電源部の破損を防ぎ配管凍結防止部の機能を正常に確保できるとともに、リモコンへ大電流が流れ込むことによるリモコンの発熱等を防ぐことができる。
【発明を実施するための最良の形態】
【０００８】
第１の発明は、商用電源を電源とする給湯器と、前記給湯器に接続した有線で電源を供給され、前記給湯器を遠隔操作するリモコンを有する給湯システムにおいて、商用電源を前記給湯器で使用する電圧に変換し供給する電源部と、前記電源部より電源を供給されて配管の凍結防止を行う配管凍結防止部と、前記リモコンに供給する電源の電流を検出するリモコン電流検出部と、前記リモコンに供給する電源を遮断するリモコン電源遮断部を備え、前記リモコン電流検出部で検出した電流値が、ある値以上になると前記リモコン電源遮断部でリモコンに供給する電源を遮断するものである。
【０００９】
これにより、リモコンの配線工事時の施工不良によるリモコン配線の短絡や前記リモコンの故障によりリモコンケーブルや前記リモコンに流れる電流が増加しても、前記リモコン電流検出部で検出した電流値が、ある値以上になると前記リモコン電源遮断部で前記リモコンへの電源供給を遮断するため、前記電源部の破損を防ぐことができ、従って前記配管凍結防止部へ電源供給ができなくなることを防ぐことができる。また、前記リモコンへ大電流が流れ込むことによる前記リモコンの発熱、発煙、発火を防ぐことができる。
【００１０】
第２の発明は、第１の発明の電流検出部とリモコン電源遮断部を、パターンヒューズ部で構成したもので、リモコンの配線工事時の施工不良による前記リモコン配線の短絡や前記リモコンの故障によりリモコンケーブルや前記リモコンに流れる電流が増加しても、パターンヒューズ部に、ある値以上の電流が流れることで前記パターンヒューズ部は断線し前記リモコンへの電源供給を遮断するため、前記電源部の破損を防ぐことができ、前記配管凍結防止部へ電源供給ができなくなることを防ぐことができる。また前記リモコンへ大電流が流れ込むことによる前記リモコンの発熱、発煙、発火を防ぐことができる。
【００１１】
第３の発明は、第１の発明の電流検出部とリモコン電源遮断部を交換が可能な電流ヒューズ素子で構成したもので、リモコンの配線工事時の施工不良による前記リモコン配線の短絡や前記リモコンの故障によりリモコンケーブルや前記リモコンに流れる電流が増加しても、前記電流ヒューズ素子にある値以上の電流が流れることで前記電流ヒューズ素子は断線し前記リモコンへの電源供給を遮断するため、前記電源部の破損を防ぐことができ、前記配管凍結防止部へ電源供給ができなくなることを防ぐことができる。
【００１２】
また、前記リモコンへ大電流が流れ込むことによる前記リモコンの発熱、発煙、発火を防ぐことができる。また前記ヒューズ素子が断線してしまっても、リモコン配線の修正やリモコンの修理でトラブル原因を解決した後は、前記ヒューズ素子の交換だけで前記給湯システムは正常に動作が可能になる。
【００１３】
第４の発明は、第１の発明の電流検出部とリモコン電源遮断部を交換が不要なリセッタブルヒューズ素子で形成したもので、前記リモコンの配線工事時の施工不良による前記リモコン配線の短絡や前記リモコンの故障によりリモコンケーブルや前記リモコンに流れる電流が増加しても、前記リセッタブルヒューズにある値以上の電流が流れることで前記リセッタブルヒューズは自身の発熱による温度上昇でハイインピーダンス状態になりリモコンへの電源供給を遮断するため、電源部の破損を防ぐことができ、配管凍結防止部へ電源供給ができなくなることを防ぐことができる。
【００１４】
また、リモコンへ大電流が流れ込むことによるリモコンの発熱、発煙、発火を防ぐことができるとともに、前記リセッタブルヒューズがハイインピーダンス状態になっても、前記リモコン配線の修正や前記リモコンの修理でトラブル原因を解決した後は、商用電源を一度切り前記リセッタブルヒューズへの電源供給を停止することで前記リセッタブルヒューズは冷却され導通状態に復帰する。従って、前記リセッタブルヒューズの交換をしな
くても前記給湯システムは正常に動作が可能になる。
【００１５】
第５の発明は、第１の発明の電流検出部として、リモコンの電源ラインに直列に抵抗を設け、前記抵抗の両端の電位差を検出することで電流値を検出するもので、前記リモコンの配線工事時の施工不良によるリモコン配線の短絡や前記リモコンの故障により前記リモコンケーブルや前記リモコンに流れる電流が増加しても、前記リモコンへの電源ラインに直列に挿入した前記抵抗の両端の電位差がある値以上になるとリモコン電源遮断部で前記リモコンへの電源供給を遮断するため、前記電源部の破損を防ぐことができ、前記配管凍結防止部へ電源供給ができなくなることを防ぐことができる。
【００１６】
また、前記リモコンへ大電流が流れ込むことによる前記リモコンの発熱、発煙、発火を防ぐことができるとともに、前記抵抗の両端の電位差を検出することで前記リモコンへの電流遮断のトリガーにできるため任意の電流で遮断することが可能になる。
【００１７】
第６の発明は、第１の発明の電流検出部とリモコン電源遮断部を、過電流保護機能を持った電源ＩＣで形成したもので、前記リモコンの配線工事時の施工不良によるリモコン配線の短絡や前記リモコンの故障により前記リモコンケーブルや前記リモコンに流れる電流が増加しても、前記電源ＩＣの出力電流が前記電源ＩＣの許容電流以上の電流になると前記電源ＩＣは出力を遮断するため前記リモコンへの電源供給を遮断でき、前記電源部の破損を防ぐことができ、前記配管凍結防止部へ電源供給ができなくなることを防ぐことができる。
【００１８】
また、前記リモコンへ大電流が流れ込むことによる前記リモコンの発熱、発煙、発火を防ぐことができるとともに、前記電源ＩＣが出力遮断状態になっても、リモコン配線の修正やリモコンの修理でトラブル原因を解決した後は、商用電源をリセットすることで前記給湯システムは正常に動作が可能になる。
【００１９】
以下、本発明の実施の形態について、図面を参照しながら説明する。なお、本実施の形態によって本発明が限定されるものではない。また、本実施の形態の説明において、同一構成で同一作用効果を奏するところには同一符号を付して重複した説明を行わないものとする。
【００２０】
（実施の形態１）
図１は、本発明の実施の形態１における給湯システムの構成図を示すものである。図１において、給湯システムは商用電源を電源とする給湯器１と、この給湯器１を遠隔操作するリモコン２で構成している。
【００２１】
給湯器１は、商用電源を給湯器１で使用する電圧に変換する電源部３と、電源部３から電源を供給されて配管の凍結防止を行う配管凍結防止部４と、リモコン２へ供給する電源の電流を検出するリモコン電流検出部５と、リモコン電流検出部５に、ある値以上の電流が流れたと検出した場合にリモコン２への電源供給を遮断するリモコン電源遮断部６を有する。リモコン２は、給湯器１に有線で接続され、リモコン電流検出部５、リモコン電源遮断部６を介して電源部３より電源を供給される。
【００２２】
以上のように構成された給湯システムについて、以下その動作、作用を説明する。配管凍結防止部４は、冬などの寒い日に給湯器１に接続されている配管内の水が凍結し配管が破裂することを防ぐために電源部３から電源を供給してもらい配管を電力で暖め、配管の凍結防止を行う。配管凍結防止部としては、例えば電気式のヒーター等がある。また、リモコン電流検出部５は電源部３からリモコン２へ供給される電源の電流値を検出し、その検出した電流値がある電流値以上になるとリモコン電源遮断部６はリモコン２への電源
を遮断する。
【００２３】
以上のように、本発明の実施の形態においては、リモコン２の配線工事時の施工不良によるリモコン配線の短絡やリモコン２の故障によりリモコンケーブルやリモコン２に流れる電流が増加しても、リモコン電流検出部５で検出した電流値がある値以上になるとリモコン電源遮断部６でリモコン２への電源供給を遮断するため、リモコン２の故障により流れる過電流等による電源部３の破損を防ぐことができる。
【００２４】
従って、配管凍結防止部４へ電源供給ができなくなるのは防止され、配管凍結防止部４の機能を常に発揮できる状態に確保できる。またリモコン２へ大電流が流れ込むことによるリモコン２の発熱、発煙、発火を防ぐこともできる。
【００２５】
（実施の形態２）
図２は、本発明の実施の形態２における給湯システムの構成図を示すものである。図２において、給湯システムは商用電源を電源とする給湯器１と、この給湯器１を遠隔操作するリモコン２で構成している。給湯器１には、商用電源を給湯器１で使用する電圧に変換する電源部３と、電源部３から電源を供給されて配管の凍結防止を行う配管凍結防止部４と、リモコン２へ供給する電源ラインに設けられたプリント配線板の配線パターンであるパターンヒューズ部７を有する。リモコン２は、給湯器１に有線で接続され、実施の形態１でいうリモコン電流検出部５とリモコン電源遮断部６を兼ねたパターンヒューズ部７を介して電源部３より電源を供給される。
【００２６】
以上のように構成された給湯システムについて、以下その動作、作用を説明する。配管凍結防止部４は、冬などの寒い日に給湯器１に接続されている配管内の水が凍結し配管が破裂することを防ぐために電源部３から電源を供給してもらい、その電力で配管を暖めて配管の凍結防止を行う。配管凍結防止部４としては、例えば電気式のヒーター等がある。また、電源部３からリモコン２へ供給される電流がパターンヒューズ部７の許容電流値以上になると、パターンヒューズ部７は断線し、リモコン２への電源供給を遮断する。
【００２７】
以上のように、本発明の実施の形態においては、リモコン２の配線工事時の施工不良によるリモコン配線の短絡やリモコン２の故障によりリモコンケーブルやリモコン２に流れる電流が増加しても、パターンヒューズ部７に流れる電流が許容電流値以上になると、パターンヒューズ部７は断線しリモコン２への電源供給を遮断するため、リモコン２の故障により流れる過電流等による電源部３の破損を防ぐことができる。
【００２８】
従って、配管凍結防止部４への電源供給ができなくなるのは防止され、配管凍結防止部４の機能を常に発揮できる状態に確保できる。また、リモコン２へ大電流が流れ込むことによるリモコン２の発熱、発煙、発火を防ぐことができる。
【００２９】
（実施の形態３）
図３は、本発明の実施の形態３における給湯システムの構成図を示すものである。図３において、給湯システムは商用電源を電源とする給湯器１と、この給湯器１を遠隔操作するリモコン２で構成している。給湯器１には、商用電源を給湯器１で使用する電圧に変換する電源部３と、電源部３から電源を供給されて配管の凍結防止を行う配管凍結防止部４と、リモコン２へ供給する電源ラインに設けられたヒューズ素子８を有する。リモコン２は、給湯器１に有線で接続され、実施の形態１でいうリモコン電流検出部５とリモコン電源遮断部６を兼ねたヒューズ素子８を介して電源部３より電源を供給される。
【００３０】
以上のように構成された給湯システムについて、以下その動作、作用を説明する。配管凍結防止部４は、冬などの寒い日に給湯器１に接続されている配管内の水が凍結し配管
が破裂することを防ぐために電源部３から電源を供給してもらい、その電力で配管を暖めて配管の凍結防止を行う。配管凍結防止部としては、例えば電気式のヒーター等がある。また、電源部３からリモコン２へ供給される電流がヒューズ素子８の許容電流値以上になると、ヒューズ素子８は断線し、リモコン２への電源供給を遮断する。
【００３１】
以上のように、本発明の実施の形態においては、リモコン２の配線工事時の施工不良によるリモコン配線の短絡やリモコン２の故障によりリモコンケーブルやリモコン２に流れる電流が増加しても、ヒューズ素子８に流れる電流が許容電流値以上になると、ヒューズ素子８は断線しリモコン２への電源供給を遮断するため、リモコン２の故障により流れる過電流等による電源部３の破損を防ぐことができる。
【００３２】
従って、配管凍結防止部４へ電源供給ができなくなるのは防止され、配管凍結防止部４の機能を常に発揮できる状態に確保できる。また、リモコン２へ大電流が流れ込むことによるリモコン２の発熱、発煙、発火を防ぐことができるとともに、ヒューズ素子８が断線してしまっても、リモコン配線の修正やリモコンの修理でトラブル原因を解決した後は、ヒューズ素子８の交換だけで給湯システムは正常に動作が可能になる。
【００３３】
（実施の形態４）
図４は、本発明の実施の形態４における給湯システムの構成図を示すものである。図４において、給湯システムは商用電源を電源とする給湯器１と、この給湯器１を遠隔操作するリモコン２で構成している。給湯器１は、商用電源を給湯器１で使用する電圧に変換する電源部３と、電源部３から電源を供給されて配管の凍結防止を行う配管凍結防止部４と、リモコン２へ供給する電源ラインに設けられたリセッタブルヒューズ９を有する。リモコン２は、給湯器１に有線で接続され、実施の形態１でいうリモコン電流検出部５とリモコン電源遮断部６を兼ねたリセッタブルヒューズ９を介して電源部３より電源を供給される。
【００３４】
以上のように構成された給湯システムについて、以下その動作、作用を説明する。配管凍結防止部４は、冬などの寒い日に給湯器１に接続されている配管内の水が凍結し配管が破裂することを防ぐために電源部３から電源を供給してもらい、その電力で配管を暖めて配管の凍結防止を行う。配管凍結防止部としては、例えば電気式のヒーター等がある。また、電源部３からリモコン２へ供給される電流がリセッタブルヒューズ９の許容電流値以上になると、リセッタブルヒューズ９は自身の発熱による温度上昇でハイインピーダンス状態になり、リモコン２への電源供給を遮断する。
【００３５】
以上のようにリモコン２の配線工事時の施工不良によるリモコン配線の短絡やリモコンの故障によりリモコンケーブルやリモコンに流れる電流が増加しても、リセッタブルヒューズ９に許容電流以上の電流が流れることでリセッタブルヒューズ９は自身の発熱による温度上昇でハイインピーダンス状態になりリモコン２への電源供給を遮断するため、電源部３の破損を防ぐことができ、従って配管凍結防止部４へ電源供給ができなくなるのは防止され、配管凍結防止部４の機能を常に発揮できる状態に確保できる。
【００３６】
また、リモコン２へ大電流が流れ込むことによるリモコン２の発熱、発煙、発火を防ぐことができるとともに、リセッタブルヒューズ９がハイインピーダンス状態になっても、リモコン配線の修正やリモコン２の修理でトラブル原因を解決した後は、商用電源を一度切りリセッタブルヒューズ９への電源供給を停止することでリセッタブルヒューズは自然冷却され導通状態に復帰する。従って、リセッタブルヒューズ９の交換をしなくても給湯システムは正常に動作が可能になる。
【００３７】
（実施の形態５）
図５は、本発明の実施の形態５における給湯システムの構成図を示すものである。図５において、給湯システムは商用電源を電源とする給湯器１と、この給湯器１を遠隔操作するリモコン２で構成している。給湯器１は、商用電源を給湯器１で使用する電圧に変換する電源部３と、電源部３から電源を供給されて配管の凍結防止を行う配管凍結防止部４と、リモコン２へ供給する電源ラインに直列に設けられた抵抗１０と、抵抗１０の両端の電位差を検出する電位差検出部１１と、電位差検出部１１で検出した電圧が、ある値以上である場合にリモコン２への電源供給を遮断するリモコン電源遮断部６を有する。
【００３８】
リモコン２は、給湯器１に有線で接続され、実施の形態１でいうリモコン電流検出部５に相当する抵抗１０及び電位差検出部１１、リモコン電源遮断部６を介して電源部３より電源を供給される。
【００３９】
以上のように構成された給湯システムについて、以下その動作、作用を説明する。配管凍結防止部４は、冬などの寒い日に給湯器１に接続されている配管内の水が凍結し配管が破裂することを防ぐために電源部３から電源を供給してもらい、その電力で配管を暖めて配管の凍結防止を行う。配管凍結防止部としては、例えば電気式のヒーター等がある。
【００４０】
また、電源部３からリモコン２へ供給される電源ラインに直列に挿入された抵抗１０によりリモコン２に供給される電流に応じて抵抗１０の両端には電位差が発生する。この電位差を電位差検出部１１が検出する。そして、電位差検出部１１が検出した電圧が、ある値以上になるとリモコン電源遮断部６はリモコン２への電源供給を遮断する。
【００４１】
以上のように、リモコン２の配線工事時の施工不良によるリモコン配線の短絡やリモコン２の故障によりリモコンケーブルやリモコン２に流れる電流が増加しても、リモコン２への電源ラインに直列に挿入した抵抗１０の両端の電位差が、ある値以上になるとリモコン電源遮断部６でリモコン２への電源供給を遮断するため、電源部３の破損を防ぐことができる。
【００４２】
従って、配管凍結防止部４へ電源供給ができなくなるのを防ぎ、配管凍結防止部４の機能を常に発揮できる状態に確保できる。また、リモコン２へ大電流が流れ込むことによるリモコン２の発熱、発煙、発火を防ぐことができるとともに、抵抗１０両端の電位差を検出することでリモコン電源遮断部６のリモコン２への電流遮断のトリガーにできるため遮断する時の電流値を任意に設定することが可能になる。
【００４３】
（実施の形態６）
図６は、本発明の実施の形態６における給湯システムの構成図を示すものである。図６において、給湯システムは商用電源を電源とする給湯器１と、この給湯器１を遠隔操作するリモコン２で構成している。給湯器１は、商用電源を給湯器１で使用する電圧に変換する電源部３と、電源部３から電源を供給されて配管の凍結防止を行う配管凍結防止部４と、リモコン２へ供給する電源ラインに設けられた過電流保護機能を持った電源ＩＣ１２を有する。電源ＩＣ１２は、例えば過電流保護機能付の三端子レギュレータＩＣがあげられる。
【００４４】
リモコン２は、給湯器１に有線で接続され、実施の形態１でいうリモコン電流検出部５、リモコン電源遮断部６を兼ねた電源ＩＣ１２を介して電源部３より電源を供給される。
【００４５】
以上のように構成された給湯システムについて、以下その動作、作用を説明する。配管凍結防止部４は、冬などの寒い日に給湯器１に接続されている配管内の水が凍結し配管が破裂することを防ぐために電源部３から電源を供給してもらい、その電力で配管を暖め
て配管の凍結防止を行う。配管凍結防止部としては例えば電気式のヒーター等がある。また、電源部３からリモコン２へ供給される電流が電源ＩＣ１２の許容電流値以上になると、電源ＩＣ１２は過電流保護機能が作動し出力を遮断するため前記リモコンへの電源供給は遮断される。
【００４６】
以上のように、本発明の実施の形態においては、リモコン２の配線工事時の施工不良によるリモコン配線の短絡やリモコン２の故障によりリモコンケーブルやリモコン２に流れる電流が増加しても、電源ＩＣ１２に流れる電流が許容電流値以上になると、電源ＩＣ１２は過電流保護機能が動作し出力を遮断するためリモコン２への電源が遮断される。
【００４７】
従って、リモコン２の故障により流れる過電流等による電源部３の破損を防ぐことができ、配管凍結防止部４へ電源供給ができなくなるのは防止され、配管凍結防止部の機能を常に発揮できる状態に確保できる。また、リモコン２へ大電流が流れ込むことによるリモコン２の発熱、発煙、発火を防ぐことができる。
【産業上の利用可能性】
【００４８】
以上のように、本発明にかかる給湯システムは、リモコンの配線工事時の施工不良によるリモコン配線の短絡やリモコンの故障によりリモコンケーブルやリモコンに流れる電流が増加しても、凍結防止機能が正常に動作でき、リモコンでの発煙や発火を予防する給湯システムを提供することができる。また本発明の給湯システムはガス給湯システム、電気給湯システム、ヒートポンプ給湯システム、石油給湯システム等様々な熱源の給湯システムにも適用できる。ユーザーは帰宅後等に台所リモコンや浴室リモコンで不在時の訪問者の確認ができる。
【図面の簡単な説明】
【００４９】
【図１】本発明の実施の形態１における給湯システムの構成図
【図２】本発明の実施の形態２における給湯システムの構成図
【図３】本発明の実施の形態３における給湯システムの構成図
【図４】本発明の実施の形態４における給湯システムの構成図
【図５】本発明の実施の形態５における給湯システムの構成図
【図６】本発明の実施の形態６における給湯システムの構成図
【図７】従来の給湯システムの構成図
【符号の説明】
【００５０】
１   給湯器
２   リモコン
３   電源部
４   配管凍結防止部
５   リモコン電流検出部
６   リモコン電源遮断部
７   パターンヒューズ部（プリント配線板の配線パターン）
８   ヒューズ素子
９   リセッタブルヒューズ
１０ 抵抗
１１ 電位差検出部
１２ 電源ＩＣ
【図１】
2007178074.tif 000003
【図２】
2007178074.tif 000004
【図３】
2007178074.tif 000005
【図４】
2007178074.tif 000006
【図５】
2007178074.tif 000007
【図６】
2007178074.tif 000008
【図７】
2007178074.tif 000009